(57)【要約】【課題】天板付き家具の本体部に対するコンセントの取り付けに必要な部品点数および必要な工程数を削減することができる技術の提供。【解決手段】天板１およびこれを支持する支持構造体である脚フレーム２を備える天板付き家具ＴＢに、コンセント３０を取り付ける取り付け構造であって、天板１に設けられた配線開口１２と、配線開口１２に配置される、コンセント３０が配設されたコンセント付きカバー３とを備える。脚フレーム２は、その一部が配線開口１２に露出するように配設されるとともに、配線開口１２に露出する部分に設けられた被係止部２１２１を備える。また、コンセント付きカバー３が、被係止部２１２１と対応する位置に設けられた係止部３３を備える。そして、係止部３３が被係止部２１２１に係止されることによって、コンセント付きカバー３が配線開口１２に取り付けられる。【選択図】図７
2020062332.tif 000002
【特許請求の範囲】
【請求項１】
天板およびこれを支持する支持構造体を備える天板付き家具に、コンセントを取り付ける取り付け構造であって、
前記天板に設けられた配線開口と、
前記配線開口に配置される、コンセントが配設されたコンセント付きカバーと、
を備え、
前記支持構造体が、その一部が前記配線開口に露出するように配設されるとともに、前記配線開口に露出する部分に設けられた被係止部を備え、
前記コンセント付きカバーが、前記被係止部と対応する位置に設けられた係止部を備え、
前記係止部が前記被係止部に係止されることによって、前記コンセント付きカバーが前記配線開口に取り付けられる、
ことを特徴とする、コンセントの取り付け構造。
【請求項２】
請求項１に記載のコンセントの取り付け構造であって、
前記被係止部が開口であり、
前記係止部が、前記コンセント付きカバーの下面から突出する第１部分と、前記第１部分の端部に連なる第２部分と、を備え、
前記係止部が前記被係止部に差し込まれた状態で前記コンセント付きカバーが前記被係止部に沿ってスライドされることによって、前記係止部の前記第２部分が前記被係止部の周囲に係止される、
ことを特徴とする、コンセントの取り付け構造。
【請求項３】
請求項１または２に記載のコンセントの取り付け構造であって、
前記コンセント付きカバーが、
前記配線開口の幅以下の幅を有する直方体状であって、下面側に前記係止部が設けられたカバー本体部と、
前記配線開口の幅よりも長尺であって、その長尺方向を前記カバー本体部の幅方向に沿わせるようにして前記カバー本体部の下面側に配置された、カバー支持部と、
を備え、
前記カバー本体部が前記配線開口に配置されて前記係止部が前記被係止部に係止された状態において、前記カバー支持部の長尺方向の各端部が前記天板の下面側に配置されるとともに、該端部が前記天板の下面に対して固定される、
ことを特徴とする、コンセントの取り付け構造。
【請求項４】
請求項３に記載のコンセントの取り付け構造であって、
前記カバー本体部の下面側に設けられた補助係止部と、
前記カバー支持部の上面側であって、前記補助係止部と対応する位置に設けられた補助被係止部と
を備え、
前記補助係止部が前記補助被係止部に係止されることによって、前記カバー支持部が前記カバー本体部に取り付けられる、
ことを特徴とする、コンセントの取り付け構造。
【請求項５】
請求項４に記載のコンセントの取り付け構造であって、
前記補助被係止部が、開口であり、
前記補助係止部が、前記カバー本体部の下面から突出する第１部分と、前記第１部分の端部に連なる第２部分と、を備え、
前記補助係止部が前記補助被係止部に差し込まれた状態で前記カバー本体部が前記補助被係止部に沿ってスライドされることによって、前記補助係止部の前記第２部分が前記補助被係止部の周囲に係止される、
ことを特徴とする、コンセントの取り付け構造。
【請求項６】
請求項５に記載のコンセントの取り付け構造であって、
前記被係止部が、開口であり、
前記係止部が、前記補助係止部と同形状かつ逆向きのフック状であり、
前記係止部が前記被係止部に差し込まれた状態で前記コンセント付きカバーが前記被係止部に沿ってスライドされることによって、前記係止部の第２部分が前記被係止部の周囲に係止される、
ことを特徴とする、コンセントの取り付け構造。
【請求項７】
天板と、
前記天板を支持する支持構造体と、
前記天板に設けられた配線開口と、
前記配線開口に配置される、コンセントが配設されたコンセント付きカバーと、
を備え、
前記支持構造体が、その一部が前記配線開口に露出するように配設されるとともに、前記配線開口に露出する部分に設けられた被係止部を備え、
前記コンセント付きカバーが、前記被係止部と対応する位置に設けられた係止部を備え、
前記係止部が前記被係止部に係止されることによって、前記コンセント付きカバーが前記配線開口に取り付けられている、
ことを特徴とする、天板付き家具。
【請求項８】
請求項７に記載の天板付き家具であって、
前記天板が、前記配線開口となる間隙を設けつつ配置された一対の天板パーツを備え、
前記支持構造体が、前記一対の天板パーツの間に架け渡されて前記配線開口を横断するように設けられた横フレームを備え、
前記横フレームに前記被係止部が形成されている、
ことを特徴とする、天板付き家具。
【発明の詳細な説明】
【技術分野】
【０００１】
本発明は、天板付き家具の本体部にコンセントを取り付ける技術に関する。
【背景技術】
【０００２】
近年、天板付き家具の使用態様として、天板上にパーソナルコンピュータや照明器具等の各種の機器を載置してこれを使用するというものが一般的となってきており、天板上に載置される機器からのびる配線の取り回しを容易にするために、電源供給用あるいは情報通信用のコンセントが天板に設けられることが多くなってきている。
【０００３】
天板にコンセントが設けられた天板付き家具は、例えば特許文献１に開示されている。ここでは、天板に対するコンセントの取り付けは、次のようにしてなされている。すなわち、まず、天板の後端面に、断面Ｈ字型のリブを備える縁材を固着することによって、該後端面に係合溝を形成する。また、天板の後方に、前端面に係合溝が設けられた水平竿を、天板との間に隙間を設けつつ、配設する。ここでは、天板と水平竿の間に形成されたこの隙間が、配線孔を形成する。続いて、この配線孔にコンセントを配置し、これを上下から挟むようにして取付板と挟持板を設けて、コンセントと挟持板をネジによって締着するとともに、挟持板と取付板をネジによって締着し、さらに、取付板の各端部に設けられた嵌合片を、天板の後端面および水平竿の前端面に各々設けられた係合溝に嵌合する。これによって、コンセントが天板に取り付けられる。
【先行技術文献】
【特許文献】
【０００４】
【特許文献１】実開平７−１７１３６号公報
【発明の概要】
【発明が解決しようとする課題】
【０００５】
特許文献１の構成によると、コンセントの取り付けに必要な部品点数および必要な工程数が多いため、製造コストが嵩んでしまう。
【０００６】
本発明は、上記の事情に鑑みてなされたものであり、天板付き家具の本体部に対するコンセントの取り付けに必要な部品点数および必要な工程数を削減することができる技術の提供を目的としている。
【課題を解決するための手段】
【０００７】
本発明は、かかる目的を達成するために、次のような手段を講じたものである。
【０００８】
すなわち、本発明は、
天板およびこれを支持する支持構造体を備える天板付き家具に、コンセントを取り付ける取り付け構造であって、
前記天板に設けられた配線開口と、
前記配線開口に配置される、コンセントが配設されたコンセント付きカバーと、
を備え、
前記支持構造体が、その一部が前記配線開口に露出するように配設されるとともに、前記配線開口に露出する部分に設けられた被係止部を備え、
前記コンセント付きカバーが、前記被係止部と対応する位置に設けられた係止部を備え、
前記係止部が前記被係止部に係止されることによって、前記コンセント付きカバーが前記配線開口に取り付けられる、
ことを特徴とする。
【０００９】
この構成によると、天板を支持する支持構造体に設けられた被係止部を利用してコンセント付きカバーを取り付けるので、コンセントの取り付けに必要な部品点数および必要な工程数を削減することができる。
【００１０】
好ましくは、前記コンセントの取り付け構造において、
前記被係止部が開口であり、
前記係止部が、前記コンセント付きカバーの下面から突出する第１部分と、前記第１部分の端部に連なる第２部分と、を備え、
前記係止部が前記被係止部に差し込まれた状態で前記コンセント付きカバーが前記被係止部に沿ってスライドされることによって、前記係止部の前記第２部分が前記被係止部の周囲に係止される、
ことを特徴とする。
【００１１】
この構成によると、係止部および被係止部の形状が単純であるので、製造が容易である。また、係止部が被係止部に対して所定の位置に配置されることにより係合状態が形成されるので、コンセント付きカバーが、天板付き家具の本体部に対して、容易かつ精確に位置決めされる。
【００１２】
好ましくは、前記コンセントの取り付け構造において、
前記コンセント付きカバーが、
前記配線開口の幅以下の幅を有する直方体状であって、下面側に前記係止部が設けられたカバー本体部と、
前記配線開口の幅よりも長尺であって、その長尺方向を前記カバー本体部の幅方向に沿わせるようにして前記カバー本体部の下面側に配置された、カバー支持部と、
を備え、
前記カバー本体部が前記配線開口に配置されて前記係止部が前記被係止部に係止された状態において、前記カバー支持部の長尺方向の各端部が前記天板の下面側に配置されるとともに、該端部が前記天板の下面に対して固定される、
ことを特徴とする。
【００１３】
この構成によると、コンセント付きカバーが、カバー本体部に設けられた係止部において支持構造体に設けられた被係止部に係合されるとともに、カバー支持部の各端部において天板の下面に対して固定される。したがって、コンセント付きカバーの取り付けの強度を十分に高いものとすることができる。
【００１４】
好ましくは、前記コンセントの取り付け構造において、
前記カバー本体部の下面側に設けられた補助係止部と、
前記カバー支持部の上面側であって、前記補助係止部と対応する位置に設けられた補助被係止部と
を備え、
前記補助係止部が前記補助被係止部に係止されることによって、前記カバー支持部が前記カバー本体部に取り付けられる、
ことを特徴とする。
【００１５】
この構成によると、カバー支持部をカバー本体部へ取り付けるにあたって必要な部品点数および必要な工程数を削減することができる。
【００１６】
好ましくは、前記コンセントの取り付け構造において、
前記補助被係止部が、開口であり、
前記補助係止部が、前記カバー本体部の下面から突出する第１部分と、前記第１部分の端部に連なる第２部分と、を備え、
前記補助係止部が前記補助被係止部に差し込まれた状態で前記カバー本体部が前記補助被係止部に沿ってスライドされることによって、前記補助係止部の前記第２部分が前記補助被係止部の周囲に係止される、
ことを特徴とする。
【００１７】
この構成によると、補助係止部および補助被係止部の形状が単純であるので、製造が容易である。また、補助係止部が補助被係止部に対して所定の位置に配置されることにより係合状態が形成されるので、カバー本体部が、カバー支持部に対して、容易かつ精確に位置決めされる。
【００１８】
好ましくは、前記コンセントの取り付け構造において、
前記被係止部が、開口であり、
前記係止部が、前記補助係止部と同形状かつ逆向きのフック状であり、
前記係止部が前記被係止部に差し込まれた状態で前記コンセント付きカバーが前記被係止部に沿ってスライドされることによって、前記係止部の第２部分が前記被係止部の周囲に係止される、
ことを特徴とする。
【００１９】
この構成によると、補助係止部と係止部とが、互いに逆向きのフック状であるので、配線開口に取り付けられたカバー本体部にこれをスライドさせるような外力がかかった場合でも、カバー本体部はどちらの方向にも位置ずれを起こしにくい。
【００２０】
また、本発明は、天板付き家具も対象としている。
すなわち、本発明に係る天板付き家具は、
天板と、
前記天板を支持する支持構造体と、
前記天板に設けられた配線開口と、
前記配線開口に配置される、コンセントが配設されたコンセント付きカバーと、
を備え、
前記支持構造体が、その一部が前記配線開口に露出するように配設されるとともに、前記配線開口に露出する部分に設けられた被係止部を備え、
前記コンセント付きカバーが、前記被係止部と対応する位置に設けられた係止部を備え、
前記係止部が前記被係止部に係止されることによって、前記コンセント付きカバーが前記配線開口に取り付けられている、
ことを特徴とする。
【００２１】
この構成によると、天板を支持する支持構造体に設けられた被係止部を利用してコンセント付きカバーを取り付けるので、コンセントの取り付けに必要な部品点数および必要な工程数を削減することができる。ひいては、天板付きの製造コストを低減することができる。
【００２２】
好ましくは、前記天板付き家具において、
前記天板が、前記配線開口となる間隙を設けつつ配置された一対の天板パーツを備え、
前記支持構造体が、前記一対の天板パーツの間に架け渡されて前記配線開口を横断するように設けられた横フレームを備え、
前記横フレームに前記被係止部が形成されている、
ことを特徴とする。
【００２３】
この構成によると、一対の天板パーツの間に配線開口が設けられてここにコンセント付きカバーが取り付けられるので、一方の天板パーツの使用端および他方の天板の使用端のどちらからもコンセントを使用しやすい。
【発明の効果】
【００２４】
本発明によると、天板付き家具にコンセントを取り付けるにあたって必要な部品点数および工程数を削減することができる。
【図面の簡単な説明】
【００２５】
【図１】本発明の実施形態に係る天板付き家具の斜視図。
【図２】天板付き家具の分解斜視図。
【図３】コンセント付きカバーの斜視図。
【図４】コンセント付きカバーの側面図。
【図５】コンセント付きカバーの分解斜視図。
【図６】カバー本体部にカバー支持部を取り付ける態様を説明するための図。
【図７】取り付けに係る工程１における天板付き家具の本体部とコンセント付きカバーの位置関係を示す斜視図。
【図８】取り付けに係る工程２〜３における該位置関係を示す斜視図。
【図９】コンセント付きカバーが取り付けられた状態における該位置関係を示す斜視図。
【図１０】取り付けに係る工程１〜４における該位置関係を示す側断面図。
【図１１】取り付けに係る工程２〜３における天板付き家具の本体部とコンセント付きカバーを、天板の下方側から見た図。
【図１２】天板付き家具にモニターアームが取り付けられた状態を示す側断面図。
【発明を実施するための形態】
【００２６】
以下、本発明の実施形態について、図面を参照しつつ説明する。
【００２７】
＜１．全体構成＞
実施形態に係る天板付き家具の全体構成について、図１、図２を参照しながら説明する。図１は、実施形態に係る天板付き家具ＴＢの斜視図である。図２は、天板付き家具ＴＢの分解斜視図である。
【００２８】
天板付き家具ＴＢは、例えば、いわゆるフリーアドレスが導入されているオフィス等において好適に用いられる大型テーブルであり、天板１と、脚フレーム２と、一対のコンセント付きカバー３，３と、配線カバー４とを備える。
【００２９】
天板１は、一対の天板パーツ１１，１１を備える。各天板パーツ１１は、平面視において長方形状であり、長尺方向が平行となるような姿勢で、互いの間に隙間を設けつつ配設される。この隙間は、配線等を挿通させるための配線開口１２を形成する。配線開口１２には、その両端に一対のコンセント付きカバー３，３が配置されるとともに、これらの間に配線カバー４が配置される。一対のコンセント付きカバー３，３および配線カバー４によって、配線開口１２のほぼ全体が塞がれる。
【００３０】
脚フレーム２は、天板１を支持するための支持構造体である。脚フレーム２は、一対の脚ユニット２１，２１と、これらの上端を連結する一対のビーム２２，２２とを備える。具体的には、各脚ユニット２１は、一対の脚本体２１１，２１１と、各脚本体２１１の上端を連結する横フレーム２１２とを備えており、全体として門型を呈している。一対の脚ユニット２１，２１は、横フレーム２１２が互いに平行となるような姿勢で配置され、各脚ユニット２１の各脚本体２１１の上端同士がビーム２２によって連結される。脚フレーム２が備える各要素２１１，２１２，２２は、いずれも中空の筒状部材であり、具体的には例えば角パイプ等により構成される。
【００３１】
天板１は、脚フレーム２上に固定されてこれに支持される。具体的には、まず、各天板パーツ１１が、長辺がビーム２２と平行となるような姿勢で、脚フレーム２上に配置される。ここで、一方の天板パーツ１１が一方のビーム２２の側に、他方の天板パーツ１１が他方のビーム２２の側にそれぞれ配置されることにより、各天板パーツ１１の間に平面視にて長方形状の隙間（配線開口）１２が形成されるようになっている。したがって、一対の横フレーム２１２，２１２の各々は、一対の天板パーツ１１，１１の間に架け渡して設けられて、配線開口１２を横断するように配設されることになる。つまり、脚フレーム２は、その一部が配線開口１２に露出するように配設される。該露出した部分、すなわち、各横フレーム２１２における配線開口１２を横断する部分には、配線開口１２に臨むように、一対の第１被係止部２１２１，２１２１が設けられる。第１被係止部２１２１は、具体的には、横フレーム２１２の上面に設けられたスリット状の開口であり、横フレーム２１２の延在方向と直交して延在する（図７等参照）。
【００３２】
各天板パーツ１１が脚フレーム２上に配置されると、ボルト等を用いて、各天板パーツ１１がビーム２２および横フレーム２１２に対して固定される。これにより、天板１が脚フレーム２上に支持された状態となり、天板付き家具ＴＢの本体部が得られる。天板付き家具ＴＢの本体部において、天板パーツ１１の間に設けられた配線開口１２に、配線カバー４およびコンセント付きカバー３が取り付けられることによって、天板付き家具ＴＢが得られることになる。
【００３３】
一対のコンセント付きカバー３，３は、互いに同じ構成を備えており、配線開口１２内であってその長尺方向の両端部に各々配置される。各コンセント付きカバー３には、電源供給用あるいは情報通信用のコンセント３０が設けられており、天板１上で使用される各種の機器等からのびる配線のプラグ等を接続できるようになっている。コンセント付きカバー３については、後に詳細に説明する。
【００３４】
配線カバー４は、平面視において長尺矩形の板状部材であり、配線開口１２内であって、その長尺方向のほぼ中央に配置される。すなわち、配線カバー４は、一対のコンセント付きカバー３，３の間に、これらと隣接して配置される。配線カバー４は、その主面が略水平となる閉姿勢と、その長辺の側に起立する開姿勢との間で姿勢変更できるように構成されている。また、配線カバー４は、その幅が配線開口１２の幅よりも僅かに小さいものとされており、配線カバー４が閉姿勢とされている状態において、配線カバー４の各長辺と天板パーツ１１の長辺との間に僅かな隙間１２１が形成されるようになっている。この隙間１２１は、配線コード等を挿通させるための挿通開口としての役割を担う。
【００３５】
＜２．コンセント付きカバー＞
コンセント付きカバー３の構成について、図３〜図６を参照しながら説明する。図３は、コンセント付きカバー３の斜視図である。図４は、コンセント付きカバー３の側面図である。図５は、コンセント付きカバー３の分解斜視図である。図６は、カバー本体部３１にカバー支持部３２を取り付ける態様を説明するための斜視図である。
【００３６】
コンセント付きカバー３は、カバー本体部３１と、カバー支持部３２と、一対の第１係止部３３，３３と、一対の第２係止部３４，３４と、を備える。
【００３７】
カバー本体部３１は、底面側が開口した直方体箱状の部材であり、矩形枠状の周壁３１１と、その上側の開口を塞ぐ矩形状の上板３１２とを備える。上板３１２の略中央には、略矩形の窓部が形成されており、この窓部を塞ぐようにコンセント３０が配設される。カバー本体部３１の短尺方向の長さ、すなわちカバー本体部３１の幅は、天板１に設けられた配線開口１２の幅以下、好ましくは、配線開口１２の幅とほぼ同一か該幅より僅かに小さいものとされる。また、周壁３１１の高さ、すなわちカバー本体部３１の厚みは、好ましくは、天板１の厚みとほぼ同一とされる。
【００３８】
カバー支持部３２は、長尺部材であり、底面側および長尺方向の端面側が開口した断面コ字型を呈している。カバー支持部３２は、その長尺方向をカバー本体部３１の幅方向に沿わせるようにして、カバー本体部３１の下面側に配置されてこれに取り付けられる。ただし、カバー支持部３２の長尺方向の長さは、配線開口１２の幅よりも十分に大きなものとされており、カバー本体部３１に取り付けられた状態において、カバー支持部３２の長尺方向の各端部がカバー本体部３１からはみ出して配置される。カバー支持部３２における、該カバー本体部３１からはみ出した部分には、ボルト挿通孔３２１が形成される。また、カバー支持部３２における、カバー本体部３１の周壁３１１と対応する位置には、第２被係止部３２２が形成される。第２被係止部３２２は、具体的には、カバー支持部３２の上面に設けられたスリット状の開口であり、カバー支持部３２の延在方向と直交して延在する。
【００３９】
一対の第１係止部３３，３３は、横フレーム２１２に設けられた一対の第１被係止部２１２１，２１２１と対応する位置に形成されており、各第１係止部３３が各第１被係止部２１２１に係止されることによって、コンセント付きカバー３が脚フレーム２に係止されて配線開口１２に取り付けられる。一対の第１係止部３３，３３は、カバー本体部３１の下面側において、カバー本体部３１の長さ方向について同じ位置（すなわち、幅方向に対向するような位置）に設けられる。各第１係止部３３は、フック状、具体的には、Ｌ字フック状であり、周壁３１１の下端面から下方に突出する第１部分３３ａと、その端部からほぼ直角に折れ曲がって連なり、カバー本体部３１の長辺に沿って延在する第２部分３３ｂと、を備える。第２部分３３ｂの長さは、第１被係止部２１２１の長さ（すなわち、開口の延在方向の長さ）よりも短いものとされており、第２部分３３ｂの厚みは、第１被係止部２１２１の幅（すなわち、開口の幅）よりも小さいものとされている。また、第２部分３３ｂの長さは、横フレーム２１２の肉厚よりも長いものとされている。
【００４０】
一対の第２係止部３４，３４は、カバー支持部３２に設けられた一対の第２被係止部３２２，３２２と対応する位置に形成されており、各第２係止部３４が各第２被係止部３２２に係止されることによって、カバー支持部３２がカバー本体部３１に取り付けられる。一対の第２係止部３４，３４は、一対の第１係止部３３，３３と同様、カバー本体部３１の下面側において、カバー本体部３１の長さ方向について同じ位置（すなわち、幅方向に対向するような位置）に設けられる。各第２係止部３４は、第１係止部３３と同形状である。すなわち、各第２係止部３４は、フック状、具体的には、Ｌ字フック状であり、周壁３１１の下端面から下方に突出する第１部分３４ａと、その端部からほぼ直角に折れ曲がって連なり、カバー本体部３１の長辺に沿って延在する第２部分３４ｂと、を備える。第２部分３４ｂの長さは、第２被係止部３２２の長さ（すなわち、開口の延在方向の長さ）よりも短いものとされており、第２部分３４ｂの厚みは、第２被係止部３２２の幅（すなわち、開口の幅）よりも小さいものとされている。また、第１部分３４ａの長さは、カバー支持部３２の肉厚よりも長いものとされている。
【００４１】
ただし、第２係止部３４と第１係止部３３は、互いに逆向きとされる。すなわち、第１係止部３３の第２部分３３ｂは、第２係止部３４から離れる方向に折れ曲がって延在し、第２係止部３４の第２部分３４ｂは、第１係止部３３から離れる方向に折れ曲がって延在する。
【００４２】
ここで、カバー支持部３２をカバー本体部３１に取り付ける態様について、図６を参照しながら説明する。カバー支持部３２の取り付けにあたっては、まず、カバー本体部３１の下面側と、カバー支持部３２の上面側とが、互いにほぼ平行な姿勢のままで、相対的に近づけられる（図６（ａ）の矢印ＡＲ１）。上記の通り、第２係止部３４の第２部分３４ｂの長さおよび厚みは第２被係止部３２２の長さおよび幅よりも小さい。したがって、両部材３１，３２が近づくと、各第２係止部３４が対応する第２被係止部３２２に差し込まれていく。各第２係止部３４が各第２被係止部３２２に完全に差し込まれた状態（すなわち、第２部分３４ｂがカバー支持部３２の下面側に配置されるとともに第１部分３４ａが第２被係止部３２２内に挿通された状態）となると、続いて、カバー本体部３１が、第２被係止部３２２に沿って、第２部分３４ｂの折れ曲がり方向にスライドされる（矢印ＡＲ２）。いうまでもなく、このスライドは相対的なものであればよく、カバー本体部３１がカバー支持部３２に対して、第２部分３４ｂの折れ曲がり方向にスライドされてもよいし、カバー支持部３２がカバー本体部３１に対して、第２部分３４ｂの折れ曲がり方向と逆方向にスライドされてもよい。これにより、各第２係止部３４の第２部分３４ｂが、各第２被係止部３２２の周囲に係止される。このようにして各第２係止部３４と各第２被係止部３２２との間に係合状態が形成されることによって、カバー支持部３２がカバー本体部３１に取り付けられる。
【００４３】
＜３．コンセント付きカバーの取り付け＞
コンセント付きカバー３を天板付き家具ＴＢの本体部に取り付ける態様について、図７〜図１１を参照しながら説明する。図７は、コンセント付きカバー３の取り付けに係る工程１における、天板付き家具ＴＢの本体部とコンセント付きカバー３の位置関係を示す斜視図である。図８は、該取り付けに係る工程２〜３における、該位置関係を示す斜視図である。図９は、コンセント付きカバー３が取り付けられた状態における該位置関係を示す斜視図である。図１０は、取り付けに係る工程１〜４における該位置関係を示す側断面図である。図１１は、取り付けに係る工程２〜３における天板付き家具ＴＢの本体部とコンセント付きカバー３を、天板１の下方側から見た図である。ただし、図８、図１０においては、説明の便宜上、手前側にある天板パーツ１１の図示が省略されている。
【００４４】
工程１：コンセント付きカバー３の取り付けにあたっては、まず、コンセント付きカバー３が、その幅方向を配線開口１２の幅方向に沿わせつつ、天板１の下方側から、配線開口１２内に配置される。ここでは、コンセント付きカバー３は、水平面に対して傾斜した姿勢、具体的には、カバー本体部３１におけるカバー支持部３２が設けられている側が、天板１の下方に配置されるとともに、他方の側が、配線開口１２を横断するように配設されている横フレーム２１２の上方に配置されるように傾斜した姿勢とされる（図７の一点鎖線、図１０（ａ））。上記の通り、横フレーム２１２における配線開口１２を横断する部分には、一対の第１被係止部２１２１，２１２１が設けられており、この状態において、カバー本体部３１に設けられた一対の第１係止部３３，３３が、該一対の第１被係止部２１２１，２１２１の上方に配置された状態となる。
【００４５】
工程２：続いて、コンセント付きカバー３が、カバー支持部３２のまわりで回動される（図１０の矢印ＡＲ１１）。上記の通り、第１係止部３３の第２部分３３ｂの長さおよび厚みは第１被係止部２１２１の長さおよび幅よりも小さい。したがって、コンセント付きカバー３の回動が進んで、第１係止部３３が横フレーム２１２に近づくと、各第１係止部３３が対応する第１被係止部２１２１に差し込まれていく。そして、カバー本体部３１が水平姿勢となったときに、各第１係止部３３が、各第１被係止部２１２１に完全に差し込まれた状態（すなわち、第２部分３３ｂが横フレーム２１２の筒内部に配置されるとともに、第１部分３３ａが第１被係止部２１２１内に挿通された状態）となる（図８（ａ）、図１０（ｂ）、図１１（ａ））。
【００４６】
工程３：続いて、コンセント付きカバー３が、第１被係止部２１２１に沿って、第１係止部３３の第２部分３３ｂの折れ曲がり方向に相対的にスライドされる（矢印ＡＲ１２）。これにより、各第１係止部３３の第２部分３３ｂが、各第１被係止部２１２１の周囲に係止される。このようにして各第１係止部３３と各第１被係止部２１２１の間に係合状態が形成されることによって、カバー本体部３１が横フレーム２１２に係止されて配線開口１２に取り付けられる（図８（ｂ）、図１０（ｃ）、図１１（ｂ））。上記の通り、カバー支持部３２の長尺方向の長さは、配線開口１２の幅よりも大きい。したがって、カバー本体部３１が配線開口１２に取り付けられたこの状態において、カバー支持部３２の長尺方向の各端部が各天板パーツ１１の下面側に配置されることになる。
【００４７】
上述した工程３において、カバー本体部３１は、第１係止部３３の第１部分３３ａが第１被係止部２１２１の端部に当接するような位置までスライドされる（図１０（ｃ））。このとき、カバー本体部３１は、定められた取り付け位置、すなわち、その短辺が天板１の側端縁とほぼ同一直線上にくるような位置に配置されるようになっている。一方、カバー支持部３２をカバー本体部３１に取り付ける際にも、カバー支持部３２は、第２係止部３４の第１部分３４ａが第２被係止部３２２の端部に当接するような位置までスライドされ、これによって、カバー本体部３１に対して定められた取り付け位置に配置されるようになっている。そして、カバー支持部３２がカバー本体部３１に対して定められた取り付け位置に配置されるとともに、カバー本体部３１が天板付き家具ＴＢの本体部に対して定められた取り付け位置に配置されたときに、カバー支持部３２に設けられた各ボルト挿通孔３２１が、各天板パーツ１１に設けられたボルト孔１１１と重なるようになっている（図８、図１０、図１１）。
【００４８】
工程４：工程３において、カバー本体部３１およびカバー支持部３２が、各々の定められた取り付け位置に配置されると、続いて、各ボルト挿通孔３２１にボルトＢＴが挿通され、該ボルトＢＴがボルト孔１１１に螺合されつつ締め込まれる。これによって、カバー支持部３２と各天板パーツ１１が締結され、コンセント付きカバー３が、カバー支持部３２において天板１に対して固定される（図９、図１０（ｄ））。つまり、コンセント付きカバー３は、カバー本体部３１において脚フレーム２に係止されるとともに、カバー支持部３２において天板１に固定されることによって、配線開口１２に取り付けられる。
【００４９】
以上によって、コンセント付きカバー３の天板付き家具ＴＢの本体部への取り付けが完了する。
【００５０】
＜４．効果＞
上記の実施形態に係るコンセント３０の取り付け構造においては、天板１に設けられた配線開口１２に、コンセント３０が配設されたコンセント付きカバー３が配置される。ここで、天板１を支持する脚フレーム（支持構造体）２が、その一部が配線開口１２に露出するように配設される横フレーム２１２を備え、該横フレーム２１２における配線開口１２に露出する部分に、第１被係止部（被係止部）２１２１が設けられる。また、コンセント付きカバー３における、第１被係止部２１２１と対応する位置に、第１係止部（係止部）３３が設けられる。そして、第１係止部３３が第１被係止部２１２１に係止されることによって、コンセント付きカバー３が配線開口１２に取り付けられる。この構成によると、天板１を支持する脚フレーム２に設けられた第１被係止部２１２１を利用してコンセント付きカバー３を取り付けるので、コンセント３０の取り付けに必要な部品点数および必要な工程数を削減することができる。
【００５１】
また、上記の実施形態に係るコンセント３０の取り付け構造においては、第１被係止部２１２１が開口、具体的にはスリット状の開口である。また、第１係止部３３が、コンセント付きカバー３の下面から突出する第１部分３３ａと、第１部分３３ａの端部に連なる第２部分３３ｂとを備える。そして、第１係止部３３が第１被係止部２１２１に差し込まれた状態でコンセント付きカバー３が第１被係止部２１２１に沿ってスライドされることによって、第１係止部３３の第２部分３３ｂが第１被係止部２１２１の周囲に係止される。この構成によると、第１係止部３３および第１被係止部２１２１の形状が単純であるので、製造が容易である。また、第１係止部３３が第１被係止部２１２１に対して所定の位置に配置されることにより係合状態が形成されるので、コンセント付きカバー３が、天板付き家具ＴＢの本体部に対して、容易かつ精確に位置決めされる。
【００５２】
また、上記の実施形態に係るコンセント３０の取り付け構造においては、コンセント付きカバー３が、カバー本体部３１とカバー支持部３２とを備える。カバー本体部３１は、配線開口１２の幅以下の幅を有する直方体状であって、下面側に第１係止部３３が設けられる。また、カバー支持部３２は、配線開口１２の幅よりも長尺であって、その長尺方向をカバー本体部３１の幅方向に沿わせるようにしてカバー本体部３１の下面側に配置される。そして、カバー本体部３１が配線開口１２に配置されて第１係止部３３が第１被係止部２１２１に係止された状態において、カバー支持部３２の長尺方向の各端部が天板１の下面側に配置されるとともに、該端部が天板１の下面に対して固定される。この構成によると、コンセント付きカバー３が、カバー本体部３１に設けられた第１係止部３３において脚フレーム２に設けられた第１被係止部２１２１に係合されるとともに、カバー支持部３２の各端部において天板１の下面に対して固定されるので、コンセント付きカバー３の取り付けの強度を十分に高いものとすることができる。
【００５３】
また、上記の実施形態に係るコンセント３０の取り付け構造においては、カバー本体部３１の下面側に設けられた第２係止部（補助係止部）３４と、カバー支持部３２の上面側であって、第２係止部３４と対応する位置に設けられた第２被係止部（補助被係止部）３２２とを備える。そして、第２係止部３４が第２被係止部３２２に係止されることによって、カバー支持部３２がカバー本体部３１に取り付けられる。この構成によると、カバー支持部３２をカバー本体部３１へ取り付けるにあたって必要な部品点数および必要な工程数を削減することができる。
【００５４】
また、上記の実施形態に係るコンセント３０の取り付け構造においては、第２被係止部３２２が、開口、具体的にはスリット状の開口である。また、第２係止部３４が、カバー本体部３１の下面から突出する第１部分３４ａと、第１部分３４ａの端部に連なる第２部分３４ｂとを備える。そして、第２係止部３４が第２被係止部３２２に差し込まれた状態でカバー本体部３１が第２被係止部３２２に沿ってスライドされることによって、第２係止部３４の第２部分３４ｂが第２被係止部３２２の周囲に係止される。この構成によると、第２係止部３４および第２被係止部３２２の形状が単純であるので、製造が容易である。また、第２係止部３４が第２被係止部３２２に対して所定の位置に配置されることにより係合状態が形成されるので、カバー本体部３１が、カバー支持部３２に対して、容易かつ精確に位置決めされる。
【００５５】
また、上記の実施形態に係るコンセント３０の取り付け構造においては、第１係止部３３と第２係止部３４が、同形状かつ逆向きのフック状である。この構成によると、配線開口１２に取り付けられたカバー本体部３１にこれをスライドさせるような外力がかかった場合でも、カバー本体部３１はどちらの方向にも位置ずれを起こしにくい。
【００５６】
また、上記の実施形態に係る天板付き家具ＴＢは、天板１と、天板１を支持する脚フレーム２と、天板１に設けられた配線開口１２と、配線開口１２に配置される、コンセント３０が配設されたコンセント付きカバー３と、を備える。また、脚フレーム２が、その一部が配線開口１２に露出するように配設されるとともに、配線開口１２に臨むように設けられた第１被係止部２１２１を備える。さらに、コンセント付きカバー３が、第１被係止部２１２１と対応する位置に設けられた第１係止部３３を備える。そして、第１係止部３３が第１被係止部２１２１に係止されることによって、コンセント付きカバー３が配線開口１２に取り付けられている。この構成によると、天板１を支持する脚フレーム２に設けられた第１被係止部２１２１を利用してコンセント付きカバー３を取り付けるので、コンセント３０の取り付けに必要な部品点数および必要な工程数を削減することができる。ひいては、天板付き家具ＴＢの製造コストを低減することができる。
【００５７】
また、上記の実施形態に係る天板付き家具ＴＢにおいては、天板１が、配線開口１２となる間隙を設けつつ配置された一対の天板パーツ１１，１１を備える。また、脚フレーム２が、一対の天板パーツ１１，１１の間に架け渡されて配線開口１２を横断するように設けられた横フレーム２１２を備える。そして、この横フレーム２１２に、第１被係止部２１２１が形成されている。この構成によると、一対の天板パーツ１１，１１の間に配線開口１２が設けられてここにコンセント付きカバー３が取り付けられるので、一方の天板パーツ１１の使用端および他方の天板パーツ１１の使用端のどちらからもコンセント３０を使用しやすい。
【００５８】
＜５．変形例＞
上記の実施形態においては、コンセント付きカバー３は、カバー本体部３１において脚フレーム２に係止されるとともに、カバー支持部３２において天板１にボルト固定されることによって、配線開口１２に取り付けられていたが、カバー支持部３２は必須の要素ではない。カバー支持部３２を設けない場合、例えば、カバー本体部３１と天板１とがボルト等で互いに固定されるものとしてもよい。具体的には例えば、カバー本体部３１の周壁３１１と天板１の側面とがボルトで締結されるものとしてもよいし、カバー本体部３１に設けられたベロ状の突出片等と横フレーム２１２とがボルトで締結されるものとしてもよい。あるいは例えば、カバー本体部３１と脚フレーム２との係合だけで、コンセント付きカバー３が配線開口１２に取り付けられるものとしてもよい。
【００５９】
また、上記の実施形態において、第１係止部３３および第２係止部３４の形状は、必ずしもフック状でなくともよい。また、第１被係止部２１２１と第２被係止部３２２は、必ずしもスリット状の開口でなくともよい。例えば、各被係止部２１２１，３２２を、小径部と大径部が連なった形状の開口（いわゆるダルマ孔）とし、各係止部３３，３４を、該小径部よりも小さい径を有する軸部と該小径部よりも大きく且つ該大径部より小さい径を有するフランジ部とを備えるものとしてもよい。あるいは例えば、被係止部２１２１，３２２が、溝が形成されたレール状であって、係止部３３，３４が該レールの溝に嵌まり合う形状の凸部であってもよい。あるいは例えば、係止部３３，３４がスリット状の開口であって、被係止部２１２１，３２２がフック状であってもよい。
【００６０】
また、上記の実施形態において、第１係止部３３の個数は必ずしも２個でなくともよいし、その配置は幅方向に対向するものでなくともよい。例えば、カバー本体部３１の長さ方向に、２個以上の第１係止部３３を設けてもよい。また、カバー本体部３１の幅方向に対向する一対の第１係止部３３，３３を、カバー本体部３１の長さ方向に２組以上設けてもよい。逆に、第１係止部３３を１個のみ設けるものとしてもよい。いうまでもなく、これらの各場合、第１係止部３３と対応する各位置に、第１被係止部２１２１を設けることになる。第２係止部３４および第２被係止部３２２についても同様である。
【００６１】
また、上記の実施形態において、第１被係止部２１２１は、横フレーム２１２に直接に設けられるものとしたが、横フレーム２１２にベロ状の突出片等を設けて、これに第１被係止部２１２１を形成してもよい。
【００６２】
また、上記の実施形態においては、カバー本体部３１に設けられた第２係止部３４がカバー支持部３２に設けられた第２被係止部３２２に係止されることによって、カバー支持部３２がカバー本体部３１に取り付けられていたが、カバー支持部３２をカバー本体部３１に取り付ける態様はこれに限るものではなく、例えば溶接により取り付けられてもよい。
【００６３】
また、上記の実施形態において、天板１は一対の天板パーツ１１，１１を備え、これらの間に設けられた間隙が配線開口１２を形成したが、天板１に配線開口１２を形成する構成はこれに限らない。例えば、１枚の平板板状の天板の側縁に矩形状の切り欠きを設ける、あるいは、天板の略中央に矩形状の開口を設ける等して、該切り欠きあるいは該開口が、配線開口１２を形成するものとしてもよい。
【００６４】
また、上記の実施形態において、脚フレーム２は、一対の天板パーツ１１，１１の間に架け渡されて配線開口１２を横断するように設けられた横フレーム２１２を備えるものとしたが、脚フレーム２は、必ずしもその一部分が配線開口１２を横断するように設けられている必要はなく、少なくともその一部分が配線開口１２に露出していればよい。別の言い方をすると、配線開口１２は、必ずしもこれを脚フレーム２の一部分が横断するような位置に設ける必要はなく、脚フレーム２の一部分が露出するような位置に設けられればよい。
【００６５】
また、上記の実施形態に係る天板付き家具ＴＢにおいては、配線カバー４が閉姿勢とされている状態において、配線カバー４の各長辺と天板パーツ１１の長辺との間に、配線コード等を挿通させるための挿通開口１２１が形成される（図１参照）。ここに、モニターを支持するためのモニターアームを取り付けることができる。
【００６６】
図１２には、天板付き家具ＴＢに取り付けられるモニターアーム６の構成例が示されている。ここに示されるように、モニターアーム６は、取付金具であるクランプ部６１と、モニターＭを支持するアーム部６２と、を備える。ただしここでいうモニターＭには、例えば、パーソナルコンピュータの表示装置として用いられるモニターに限るものではなくタブレット端末のように表示機能を備える各種の機器が含まれる。
【００６７】
クランプ部６１は、天板パーツ１１における、挿通開口１２１に臨む側端縁における任意の位置に取り付けられる。クランプ部６１は、具体的には、断面コ字状の挟持部材６１１と、ネジ軸６１２とを備える。挟持部材６１１は、天板パーツ１１の該側端縁を上下から挟みこむようにしてこれに取り付けられて、挟持部材６１１の上側の板状部分および側壁をなす板状部分が、天板パーツ１１の上面および側面にそれぞれ当接するような位置に配置される。そして、挟持部材６１１の下側の板状部分に設けられたネジ孔６１１１に螺合されつつこれに挿通されたネジ軸６１２が、その先端が天板パーツ１１の下面に圧接するような位置までねじ込まれる。これにより、クランプ部６１が天板パーツ１１に対して固定される。なお、天板１の下面側に、配線開口１２を下方から覆うような樋状の配線受け部１２２が設けられる場合、この配線受け部１２２には、ネジ軸６１２を挿通させるとともにこれをねじ込むために用いる工具等を挿通させるための開口１２２１が形成される。
【００６８】
アーム部６２は、一列に並ぶ３個の腕部分６２１ａ，６２１ｂ，６２１ｃが、関節６２２を介して、互いに回動自在に接続された構成を備えている。上側に配置された腕部分６２１ａの上端には、モニターＭを支持するための支持部６２３が設けられており、これにモニターＭを支持させるとともに、各腕部分６２１ａ，６２１ｂ，６２１ｃを各関節６２２の回りで回動させることにより、モニターＭが支持される高さおよび姿勢を自由に変更することができる。下側に配置された腕部分６２１ｃの下端には、凹状の受け部６２４が設けられており、ここに、挟持部材６１１における上側の板状部分に設けられた凸状の支持部６１１２が嵌め入れられることによって、アーム部６２の端部クランプ部６１に固定される。すなわち、アーム部６２がクランプ部６１を介して天板１に取り付けられる。
【００６９】
このモニターアーム６によると、配線コード等を挿通させるための挿通開口１２１を利用して天板１に取り付けられるクランプ部６１を備える。そして、モニターＭを支持するアーム部６２が、該クランプ部６１を介して天板１に取り付けられる。したがって、天板１の上面にモニターＭの設置領域を確保する必要がなく、天板１の上面を広く使うことができる。
【００７０】
また、各部の具体的な形状、仕様、その他の詳細な構成等は、本発明の趣旨を逸脱しない範囲で種々の変形が可能である。また、実施形態および各変形例に係る構成を適宜に組み合わせてもよいことはいうまでもない。
【符号の説明】
【００７１】
１  天板
１１  天板パーツ
１２  配線開口
２  支持構造体（脚フレーム）
２１  脚ユニット
２１１  脚本体
２１２  横フレーム
２１２１  被係止部（第１被係止部）
２２  ビーム
３  コンセント付きカバー
３０  コンセント
３１  カバー本体部
３２  カバー支持部
３２１  ボルト挿通孔
３２２  補助被係止部（第２被係止部）
３３  係止部（第１係止部）
３３ａ  第１係止部の第１部分
３３ｂ  第１係止部の第２部分
３４  補助係止部（第２係止部）
３４ａ  第２係止部の第１部分
３４ｂ  第２係止部の第２部分
４  配線カバー
６  モニターアーム
６１  クランプ部
６２  アーム部
ＴＢ  天板付き家具
ＢＴ  ボルト
【図１】
2020062332.tif 000003
【図２】
2020062332.tif 000004
【図３】
2020062332.tif 000005
【図４】
2020062332.tif 000006
【図５】
2020062332.tif 000007
【図６】
2020062332.tif 000008
【図７】
2020062332.tif 000009
【図８】
2020062332.tif 000010
【図９】
2020062332.tif 000011
【図１０】
2020062332.tif 000012
【図１１】
2020062332.tif 000013
【図１２】
2020062332.tif 000014